(57)【要約】【課題】ボルト・ナットの緩み及び脱落を防止すると共に、施工時間の短縮及び作業負担の軽減を図るガードレール用ボルトを提供する。【解決手段】ガードレールＧＲの接続固定に用いられるガードレール用ボルト１０であって、頭部１１及び軸部１５を備え、頭部１１は、上面がドーム状に湾曲して形成されていると共に、その頂部に工具と嵌合する六角穴１３が穿設されている。また、軸部１５は、ガードレールＧＲを接続固定した際に、所定余長が得られる長さ寸法に形成されている。【選択図】図１
0003172020.tif 000002
【実用新案登録請求の範囲】
【請求項１】
頭部と、該頭部の下面から突出する軸部とを備え、該軸部をガードレールの締結部に挿入し該軸部にナットを螺合し締付けることにより該ガードレールを接続固定するガードレール用ボルトであって、
前記頭部は、上面がドーム状に湾曲して形成されていると共に、その頂部に工具と嵌合する穴が穿設され、
前記軸部は、前記ガードレールを接続固定した際に、所定余長が得られる長さ寸法に形成されていることを特徴とするガードレール用ボルト。
【請求項２】
強度区分８．８の材料により形成されていると共に、熱処理が施されていることを特徴とする請求項１に記載のガードレール用ボルト。
【請求項３】
請求項１又は２に記載のガードレール用ボルトと、前記軸部に螺合する緩み止めナットと、道路に設置されたガードレール支柱に取付けられるガードレールとを備えるガードレール接続構造であって、
前記ガードレールは、複数のビームが接続されることにより構成されていると共に、その表面が道路の車道側に向けて配置され、
前記ガードレール用ボルトは、前記頭部の上面が前記車道側に向けられ、前記ガードレールの表面側から、該ガードレールの隣接するビーム同士の重ね合わせ部である前記締結部に設けられた孔に前記軸部が挿入され、且つ前記軸部に前記緩み止めナットが螺合され、前記車道側から締付けられることにより前記ビーム同士を接続固定していることを特徴とするガードレール接続構造。
【請求項４】
請求項１又は２に記載のガードレール用ボルトと、前記軸部に螺合する緩み止めナットと、道路に設置されたガードレール支柱を挟んで且つ背面を相対向させて該支柱に取付けられる２組のガードレールとを備えるガードレール接続構造であって、
前記ガードレールは、複数のビームが接続されることにより構成されていると共に、その表面が道路の車道側に向けて配置され、
前記ガードレール用ボルトは、前記頭部の上面が前記車道側に向けられ、前記ガードレールの表面側から、該ガードレールの隣接するビーム同士の重ね合わせ部である前記締結部に設けられた孔に前記軸部が挿入され、且つ前記軸部に前記緩み止めナットが螺合され、前記車道側から締付けられることにより前記ビーム同士を接続固定していることを特徴とするガードレール接続構造。
【考案の詳細な説明】
【技術分野】
【０００１】
本考案は、ガードレール用ボルト及びガードレール接続構造に関し、例えば、ガードレールのビーム同士の接続固定や前記ビームとガードレール支柱の接続固定に用いられるガードレール用ボルト及び当該ガードレール用ボルトを備えるガードレール接続構造に関する。
【背景技術】
【０００２】
従来から、ガードレールのビーム同士の接続固定や前記ビームとガードレール支柱の接続固定には、一般的に、「ネジの呼び径が「Ｍ１６」、呼び長さ（首下長さ）が「３５ｍｍ」」の丸頭（首下小判根角）ボルトと、当該丸頭ボルトに螺合する六角ナットとが用いられている。そして、上記の丸頭ボルト及び六角ナットによるガードレールのビーム同士の接続固定は、以下のように行われている。
【０００３】
具体的には、先ず、設置するガードレールを基準にして、丸頭ボルトの頭部上面を道路の車道側に向け、ガードレールのビーム同士の重ね合わせ部に形成されている穴に、丸頭ボルトの軸部（ネジ部）を挿通し、前記ビームの裏側（背面側）から前記軸部にナットを螺合させ、これをスパナにより裏側から手動で締付けることにより、前記ビーム同士を接続固定している。尚、丸頭ボルト及び六角ナットによるガードレールを接続固定する技術（ガードレール接続構造及び方法）は、例えば、特許文献１に開示されている。
【先行技術文献】
【特許文献】
【０００４】
【特許文献１】特開２００１−２６３３２６号公報
【考案の概要】
【考案が解決しようとする課題】
【０００５】
しかしながら、上述した従来技術のガードレール接続構造は、ボルト（丸頭ボルト）及びナット（六角ナット）の緩みや脱落が生じる虞があるという技術的課題を有している。
具体的には、従来技術のガードレール接続構造は、ボルトの構造上、ガードレールの表面側（道路の車道側）からの締付作業を行うことができないため、ガードレールの裏面側でスパナによる締付け作業を行う必要がある。そして、従来技術のガードレール接続構造は、十分な余長（ボルト締結後の余長）が得られる長さ寸法のボルト（所定以上の「呼び長さ」を有するボルト）を用いた場合に、ガードレールの裏面部分（ガードレールのビーム裏面に設けられている間隔材等）とスパナとが緩衝し、締付け作業ができないようになっている。すなわち、上述した従来技術は、その構造上、ボルトの長さ寸法（呼び長さ）が制限され（所定以上の長さ寸法のボルトを用いることができず）、その結果、余長不足が生じ、ボルト・ナットの緩みや脱落が生じることがあった。
【０００６】
また、上述した従来技術によるガードレール接続構造は、施工（接続・固定作業）に長時間費やされると共に、作業労力が大きいという技術的課題を有している。
具体的には、上述した従来技術では、ガードレールの裏面側の狭隘な空間において、スパナによる手作業を行う必要があるため、施工時間が長くなると共に、作業者の労力が多大なものとなっている。さらに、上記の従来技術は、前記狭隘な空間でスパナによる手作業を行っているため、締付作業の最中に、スパナが外れることによる、作業者に対する安全上のリスクも有していた。特に、背面を相対向させ配置した２組のガードレールを、ガードレール支柱を挟んで設置する場合、ガードレールの裏面側が非常に狭隘な空間であるため、作業負担が非常に大きかった。
【０００７】
本考案は上記技術的課題に鑑みてなされたものであって、ボルト・ナットの緩み及び脱落を防止すると共に、施工時間の短縮及び作業負担の軽減を図るガードレール用ボルト及びガードレール接続構造を提供することを目的とする。
【課題を解決するための手段】
【０００８】
上記課題を解決するためになされた本考案は、頭部と、該頭部の下面から突出する軸部とを備え、該軸部をガードレールの締結部に挿入し該軸部にナットを螺合し締付けることにより該ガードレールを接続固定するガードレール用ボルトであって、前記頭部は、上面がドーム状に湾曲して形成されていると共に、その頂部に工具と嵌合する穴が穿設され、前記軸部は、前記ガードレールを接続固定した際に、所定余長が得られる長さ寸法に形成されていることを特徴とする。
【０００９】
このように、本考案のガードレール用ボルトは、頭部（ドーム状の頂部）に、工具と嵌合する穴（六角穴等の穴）が設けられている。この構成によれば、ガードレールのビーム同士の接続固定や前記ビームとガードレール支柱とを接続固定する工程において、ビームの表面側（道路の車道側）から、前記穴に工具を嵌合させ、当該ボルトを締付けることができる。すなわち、本考案によれば、頭部の頂部に工具と嵌合する穴を設けることで、ガードレールの裏面側でスパナによる締付け作業を行わざるを得ないというガードレール特有の課題が解消される。そのため、本考案では、軸部を、所定余長（ボルト締結後の余長）が得られる長さ寸法（例えば、呼び長さを４０ｍｍ）に形成することが可能になり、その結果、ボルト・ナットの緩み及び脱落が防止される。
【００１０】
また、本考案によれば、ガードレールの表面側から締付作業を行うことができ、ガードレールの裏面側の狭隘な空間での作業から開放されるため、施工時間の短縮及び作業労力の軽減が図られる。また、本考案によれば、ガードレールの表面側の広い空間で作業ができるため、スパナが外れる等の作業者に対する安全上のリスクが軽減される。さらに、本考案によれば、道路の車道側から締付作業を行うことができるため、電動工具を使用することが可能になり、施工時間の大幅な短縮が図られると共に、作業労力が大幅に軽減される。
【００１１】
また、前記ガードレール用ボルトは、強度区分８．８の材料により形成されていると共に、熱処理が施されていることが望ましい。
【００１２】
このように、強度区分８．８の材料（例えば、冷間圧造用炭素鋼線（ＳＷＣＨ４５Ｋ））によりガードレール用ボルトを形成しているのは、ガードレール用ボルトの頭部に工具と嵌合する穴を設けることにより生じる当該ボルトの頭部（首部）の強度低下を防止するためである。また、本考案のガードレール用ボルトは、熱処理（ＱＴ処理（焼入れ焼戻し処理）等の熱処理）が施されているため、当該ボルトの「強度及び粘り強さ」が高められている。
【００１３】
また、本考案のガードレール接続構造は、前記ガードレール用ボルトと、前記軸部に螺合する緩み止めナットと、道路に設置されたガードレール支柱に取付けられるガードレールとを備えるガードレール接続構造であって、前記ガードレールは、複数のビームが接続されることにより構成されていると共に、その表面が道路の車道側に向けて配置され、前記ガードレール用ボルトは、前記頭部の上面が前記車道側に向けられ、前記ガードレールの表面側から、該ガードレールの隣接するビーム同士の重ね合わせ部である前記締結部に設けられた孔に前記軸部が挿入され、且つ前記軸部に前記緩み止めナットが螺合され、前記車道側から締付けられることにより前記ビーム同士を接続固定していることを特徴とする。
【００１４】
このように、本考案のガードレール接続構造は、ガードレール用ボルトに螺合するナットに、緩み止めナットを用いているため、上述した効果に加え、さらに、ボルト・ナットの緩み及び脱落を防止する効果が高められる。
【００１５】
また、本考案のガードレール接続構造は、前記ガードレール用ボルトと、前記軸部に螺合する緩み止めナットと、道路に設置されたガードレール支柱を挟んで且つ背面を相対向させて該支柱に取付けられる２組のガードレールとを備えるガードレール接続構造であって、前記ガードレールは、複数のビームが接続されることにより構成されていると共に、その表面が道路の車道側に向けて配置され、前記ガードレール用ボルトは、前記頭部の上面が前記車道側に向けられ、前記ガードレールの表面側から、該ガードレールの隣接するビーム同士の重ね合わせ部である前記締結部に設けられた孔に前記軸部が挿入され、且つ前記軸部に前記緩み止めナットが螺合され、前記車道側から締付けられることにより前記ビーム同士を接続固定していることを特徴とする。
【００１６】
このように、本考案のガードレール接続構造は、背面を相対向させ配置した２組のガードレールを、ガードレール支柱を挟んで設置する場合のようなガードレールの裏面側が非常に狭隘な空間になっているケースにも適用される。そして、本考案によれば、上述した従来技術に比べて、施工時間の短縮及び作業負担の軽減が大幅に達成される。
【考案の効果】
【００１７】
本考案によれば、ボルト・ナットの緩み及び脱落を防止すると共に、施工時間の短縮及び作業負担の軽減を図るガードレール用ボルト及びガードレール接続構造を提供することができる。
【図面の簡単な説明】
【００１８】
【図１】本実施形態のガードレール接続構造を説明するための模式図である。
【図２】本実施形態のガードレール接続構造を構成するガードレール用ボルトの説明図であり、（ａ）がガードレール用ボルトの平面図、（ｂ）がガードレール用ボルトの側面図である。
【図３】本実施形態のガードレール接続構造を構成する緩み止めナットの説明図であり、（ａ）が緩み止めナットの側面図、（ｂ）が緩み止めナットの平面図である。
【図４】本実施形態のガードレール接続構造を構成する平座金の説明図であり、（ａ）が平座金の平面図、（ｂ）が平座金の側面図である。
【図５】本実施形態のガードレール接続構造の適用例を示した模式図である。
【考案を実施するための形態】
【００１９】
以下、本考案の実施形態について図面に基づいて説明する。
【００２０】
図１に示すように、本実施形態のガードレール接続構造Ｗ１は、ガードレール用ボルト（以下、単に「ボルト」という）１０と、ボルト１０に螺合する緩み止めナット（以下、単に「ナット」という）２０と、平座金３０と、支柱（ガードレール支柱（図１には示さず））に取付けられるガードレールＧＲとを備えている。尚、ガードレールＧＲは、複数のビーム４０（山部と谷部が交互に形成された波形状のガードレールビーム（図５参照））が接続されて構成されていると共に、その表面が道路の車道側に向けて配置されている。
【００２１】
そして、ガードレール接続構造Ｗ１は、ガードレールＧＲの隣接するビーム４０同士の接続固定やビーム４０と前記支柱とを接続固定するようになっている。具体的には、ガードレール接続構造Ｗ１では、ボルト１０の頭部１１上面が道路の車道側に向けて配置され、軸部１５がガードレールＧＲの接続部（図示する例では、ガードレールＧＲの隣接するビーム４０同士の重ね合わせ部５０の孔５１）に挿通され、且つ軸部１５に平座金３０が挿通されると共にナット２０が螺合され、車道側から締付けられている。これにより、前記接続部が、ボルト１０及びナット２０により挟持され、ガードレールＧＲ（図示する例では、隣接するビーム４０同士）が接続固定される。
【００２２】
また、図２に示すように、ボルト１０は、平面視円形の頭部（ボルト頭）１１と、頭部１１の下面（一端面）から突出する棒状の軸部１５とを備えている。また、頭部１１は、上面（他端面）が略ドーム状（略円弧凸状）に湾曲して形成され、頭部１１上面の頂部に、工具と嵌合する六角穴１３が穿設されている。また、軸部１５は、ガードレールＧＲを接続固定した際に、所定余長が得られる長さ寸法（例えば、首下長さが４０ｍｍ）に形成されていると共に、その側面には、緩み止めナット２０と螺合するネジ部１５ａが形成されている。
【００２３】
このように、ボルト１０は、丸頭ボルトの頂部１１に、六角穴１３が穿設された構成になっていると共に、従来技術のガードレール用ボルトと比べ、首下長さ（呼び長さ）の寸法が長くなっている。
【００２４】
また、ボルト１０は、強度区分８．８の材料（例えば、冷間圧造用炭素鋼線（ＳＷＣＨ４５Ｋ））により形成されている。このように、強度区分８．８の材料を用いることにより、頭部１１に六角穴１３を設けることにより生じる頭部１１の強度低下を防止している。
【００２５】
また、ボルト１０は、熱処理（ＱＴ処理（焼入れ焼戻し処理）等の熱処理）が施された上で、溶融亜鉛メッキ処理が施されている。このように、本実施形態のボルト１０は、前記熱処理を施すことにより、溶融亜鉛メッキ処理後の強度と粘り強さが高められている。
【００２６】
また、ボルト１０の大きさ寸法は、例えば、以下のように形成される。具体的には、ボルト１０は、ネジの呼び径が「Ｍ１６」、呼び長さが「ｌａ＝４０ｍｍ」、ネジ部１５ａの長さが「ｌｂ＝３５ｍｍ」に形成されている。また、頭部１１の直径（頭部径φｄａ）が、一般的なガードレール用ボルトと同様の大きさ寸法に形成され（「φｄａ＝３３ｍｍ」に形成され）、頭部１１の高さ（頭部高さ径ｋ）が「ｋ＝８ｍｍ」に形成され、六角穴１３の幅（二面幅の呼びＳ１）が「Ｓ１＝１０ｍｍ」に形成されている。
【００２７】
また、図３に示すように、ナット２０は、平面視六角形に形成され且つボルト挿通穴２１を有する六角ナットである。また、ボルト挿通穴２１は、その内周面にボルト１０のネジ部１５ａと螺合するネジ（図示せず）が形成されている。また、ボルト挿通穴２１は、一端面側（面取りがされている面側）の近傍の内周面に、ナット２０の径方向内側に突出する爪片２２ａ、２２ｂが形成されている。そして、ナット２０は、ボルト１０に螺合して締付けられた際、この爪片２２ａ、２２ｂにより、ボルト・ナット間の緩みの発生を防止するようになっている。尚、図示する爪片２２ａ、２２ｂによる緩み止め防止機構は、周知技術（例えば、実公昭４６−８４９６号公報に記載されている周知技術）であるため、詳細な説明を省略する。
【００２８】
また、ナット２０の大きさ寸法は、特に限定されるものではない。例えば、ナット２０は、ネジの呼び径が「Ｍ１６」、ナット高さが「ｍ＝１４.５ｍｍ」に形成されている。また、ナット２０は、２面幅が「ｓ２＝２４ｍｍ」、対角距離が「ｅ＝２７.７ｍｍ」に形成されている。尚、緩み止めナット２０は、例えば、冷間圧造用炭素鋼線（ＳＷＣＨ１０Ａ）により形成されている。
【００２９】
また、図４に示すように、平座金３０は、平面視円形の板状に形成され、その中心部に、前記軸部１５が挿通されるボルト挿通穴３１が設けられている。尚、平座金３０の大きさ寸法は、特に限定されるものではない。例えば、平座金３０は、呼び径が「Ｍ１６」、外径が「φｄｂ＝４０ｍｍ」、内径が「φｄｃ＝１８ｍｍ」、厚さが「ｔ＝３．２ｍｍ」に形成されている。また、平座金３０は、例えば、一般構造用圧延鋼材（ＳＳ４００）により形成されている。
【００３０】
次に、本実施形態によるガードレールＧＲの接続固定の施工手順について、図１を参照しながら説明する。なお、以下では、ガードレールＧＲの隣接するビーム４０同士を接続固定する場合を例に説明する。
【００３１】
具体的には、作業者は、先ず、ガードレールＧＲの設置位置（道路上）に、ガードレールＧＲの隣接するビーム４０同士を重ね合わせて配置する。このときに、ガードレールＧＲは、その表面が道路の車道側に向けて配置される。
【００３２】
次に、作業者は、ボルト１０、ナット２０及び平座金３０により、ガードレールＧＲの隣接するビーム４０同士の重ね合わせ部（締結部）５０を接続固定する（複数締結部がある場合は、順番に締結固定していく）。具体的には、作業者は、ボルト１０の頭部１１上面を車道側に向け、前記ビーム４０同士の重ね合わせ部５０の表面側から、当該重ね合わせ部５０に設けられた孔５１に、ボルト１０の軸部１５を挿入する。次に、作業者は、重ね合わせ部５０の裏面側（ビームの裏面側）から、前記挿入されている軸部１５に、平座金３０を挿入すると共に、ナット２０を螺合する（仮止めする）。
【００３３】
次に、作業者は、ガードレールＧＲのビーム４０の表面側（道路の車道側）から、ボルト１０の頭部１１の六角穴１３に工具を嵌合させ、前記表面側において、工具によりボルト１０及びナット２０を締付け、ガードレールＧＲの隣接するビーム４０同士を接続固定する。
【００３４】
このように、本実施形態では、ボルト１０の頭部１１に、工具と嵌合する六角穴１３が穿設されているため、ガードレールＧＲのビーム４０の表面側である車道側から、六角穴に工具を嵌合させ、ボルト・ナットの締付けを行うことができる。すなわち、本実施形態のボルト１０を用いることで、ガードレールＧＲの裏面側でのスパナによる締付け作業を行う必要がなくなるため、上述した従来技術のように、ボルト１０の長さ寸法（呼び長さ）が制限されることがない。その結果、十分な余長が得られる長さ寸法（呼び長さ）のボルト１０を用いて締付けを行うことができるため（従来技術のような余長不足が生じることが防止されるため）、ボルト・ナットの緩み及び脱落が防止される。
【００３５】
また、本実施形態では、ガードレールＧＲの接続固定に、従来技術では用いられていない緩み止め機能を備えたナット２０を用いているため、従来技術と比べて、ボルト・ナットの緩み及び脱落の発生する可能性が軽減される。
【００３６】
また、本実施形態によれば、ガードレールＧＲの裏面側の狭隘な空間での作業から開放されるため、施工時間が短縮されると共に、作業負担が軽減される。また、本実施形態によれば、車道側からボルト１０の締付作業を行うことができるため、締付用の電動工具を使用することが可能になる。そして、前記電動工具を使用することにより、大幅な施工時間の短縮が図られると共に、作業労力が大幅に軽減される。また、締付作業の最中に、スパナが外れることによる、作業者に対する安全上のリスクが解消される。
【００３７】
尚、本実施形態のガードレール接続構造は、図５に示すような、背面を相対向して配置した２組（一対）のガードレールＧＲを、支柱６０を挟んで設置する場合にも適用され、このようなケースに特に有効である。ここで、図５は、本実施形態のガードレール接続構造の適用例を示した模式図である。
【００３８】
図５に示すガードレール接続構造Ｗ２は、ボルト１０と、ナット２０と、支柱（ガードレール支柱）６０を挟んで且つ背面を相対向させて支柱６０に取付けられた２組（一対）のガードレールＧＲとを備えている。また、支柱６０には、道路の進行方向と直交方向に向けられた１対の間隔部材７０が取付けられている。また、２組のガードレールＧＲは、いずれも、間隔部材７０を介して、支柱６０に取付けられている。尚、支柱６０は、例えば、道路の中央分離帯に設置されている。また、ガードレールＧＲは、複数のビーム４０が接続されることにより構成されていると共に、その表面（前面）が道路の車道側に向けて設置されている（道路の進行方向と平行に配置されている）。
【００３９】
このガードレール接続構造Ｗ２では、ボルト１０は、頭部１１上面が道路の車道側に向けて配置されている。そして、ボルト１０は、ガードレールＧＲを構成するビーム４０の表面側から、隣接するビーム４０同士の重ね合わせ部５０に設けられた孔５１に軸部１５が挿入されるようになっている。また、前記挿入された軸部１５に、平座金３０及びナット２０が挿入され、車道側からボルト１０及びナット２０が工具により締付けられて、ガードレールＧＲを接続固定するようになっている。このように、本実施形態は、ガードレールＧＲの裏面側が非常に狭隘な空間になっているケースにも適用できるため、上述した従来技術に比べ、施工時間の短縮及び作業負担の軽減が大幅に達成される。
【００４０】
以上、説明したように、本実施形態によれば、ボルト・ナットの緩み及び脱落を防止すると共に、施工時間の短縮及び作業負担の軽減を図るガードレール用ボルト１０及びガードレール接続構造Ｗ１、Ｗ２を提供することができる。
【００４１】
尚、本考案は、上述した実施形態に限定されるものではなく、その要旨の範囲において種々の変更が可能である。
【００４２】
例えば、上述した実施形態では、ボルト１０の頭部１１に六角穴１３が穿設されているが、穴が六角穴１３以外の形状であってもよい。すなわち、頭部に、工具による締付け作業が可能な穴が穿設されているボルトであれば、本考案に適用される。
【００４３】
また、図３に示したナット２０は、あくまでも一例に過ぎない。緩み止め機能を備えており、且つボルト１０に螺合するナットであれば、本考案に適用することができる。また、本実施形態では、ナット２０と、平座金３０とが別体に構成されているが、ナット２０と、平座金３０とが一体になっている座金付きナットを用いるようにしてもよい。
【００４４】
また、本実施形態において例示した、ボルト１０の軸部１５の長さ（呼び長さ）は、あくまでも、一例に過ぎない。軸部１５は、ガードレールＧＲを接続固定した際に、所定余長（例えば、９ｍｍ）が得られる長さ寸法（例えば、４０ｍｍ）に形成されていればよい。
【００４５】
また、本実施形態で用いた、ボルト１０、ナット２０及び平座金３０は、ガードレールＧＲ以外のもの（被締結体）であっても、上述したガードレールＧＲと類似する課題を有するものに利用すれば、上述した実施形態と同様の効果が得られる。
【符号の説明】
【００４６】
Ｗ１、Ｗ２…ガードレール接続構造
１０…ガードレール用ボルト（ボルト）、１１…頭部、１３…六角穴、１５…軸部、１５ａ…ネジ部
２０…緩み止めナット（ナット）、２１…ボルト挿通穴、２２ａ…爪片、２２ｂ…爪片
３０…平座金、３１…ボルト挿通穴
ＧＲ…ガードレール、４０…ビーム、５０…ガードレールのビーム同士の重ね合わせ部、５１…孔、６０…支柱（ガードレール支柱）、７０…間隔部材
【図１】
0003172020.tif 000003
【図２】
0003172020.tif 000004
【図３】
0003172020.tif 000005
【図４】
0003172020.tif 000006
【図５】
0003172020.tif 000007